(57)【特許請求の範囲】
【請求項１】
自転車タイヤのリム１の横に設置される非接触自転車発電機であって、前記非接触自転車発電機は、少なくとも１つの磁石３を備えて前記リム１との磁気作用によって動く少なくとも１つの稼動式ロータ２と、前記ロータ２と共に動く前記磁石３によって電流が誘導される少なくとも１つのコイル巻線７を備え、
前記ロータ２は前記リム１の側面部と間隔を置いて配置され、前記リム１と前記ロータ２の軸方向が互いに異なり、前記ロータ２は連続的な円形経路を形成する前記リム１の渦電流に基づいて磁場６ａ、６ｂを起こし、前記リム１と前記ロータ２の間の連続的な相対運動によって前記磁場６ａ、６ｂは方向が互いに反対であってさらに互いに方向が反対である渦電流が前記リム１に誘導され、前記ロータ２がこのように形成された渦電流によって前記リム１と共に動きながら電流を生成することを特徴とする、自転車発電機。
【請求項２】
前記リムがアルミニウムやスチールを含んだ金属や、導電プラスチックからなることを特徴とする、請求項１に記載の自転車発電機。
【請求項３】
前記ロータ２が６つ以上の磁石３を有することを特徴とする、請求項１または２に記載の自転車発電機。
【請求項４】
前記磁石３がロータ２の円周辺に沿って極が交互に位置するように配列されることを特徴とする、請求項３に記載の自転車発電機。
【請求項５】
前記ロータ２が回転することができ、前記磁石３はＮ−Ｓ極方向が回転軸を中心として放射状に配列されることを特徴とする、請求項１〜４のいずれか一項に記載の自転車発電機。
【請求項６】
前記磁石５がキャリア２．１の円周辺に沿って等間隔に配置されることを特徴とする、請求項５に記載の自転車発電機。
【請求項７】
２つのロータ２、２．５がリムの両側に互いに磁気力を補うように位置することを特徴とする、請求項１〜６のいずれか一項に記載の自転車発電機。
【請求項８】
前記コイル巻線がロータ２によって駆動する発電機の一部分であることを特徴とする、請求項１〜７のいずれか一項に記載の自転車発電機。
【請求項９】
前記コイル巻線がロータ２を完全に囲み、コイル巻線とロータ２がすべてボックス６内に収容されることを特徴とする、請求項１〜７のいずれか一項に記載の自転車発電機。
【請求項１０】
前記コイル巻線が互いに角度をなし、コイル巻線がすべてロータを囲むことを特徴とする、請求項９に記載の自転車発電機。
【請求項１１】
キャパシタやバッテリにエネルギーを貯蔵するようにすることにより、作動中には電気エネルギーを貯蔵しておきながら以後にこのエネルギーを放出することができることを特徴とする、請求項１〜１０のいずれか一項に記載の自転車発電機。
【請求項１２】
請求項１〜１１のいずれか一項に記載の自転車発電機と、コイル巻線７に連結した少なくとも１つのランプ１０を含む自転車を含む、車両照明システム。
【請求項１３】
前記ランプ１０はコイル巻線７が入っているボックス６に固定されることを特徴とする、請求項１２に記載の車両照明システム。
【請求項１４】
前記ランプ１０が２つであり、それぞれダイオードを含み、導電方向が互いに異なる別途の回路に配列され、コイル巻線７内のロータ２で誘導されたＡＣ電流がランプに交互に供給されることを特徴とする、請求項１２または１３に記載の車両照明システム。
【請求項１５】
コイル巻線７の電流を整流する整流器がコイル巻線７の下流に配置されることを特徴とする、請求項１２または１３に記載の車両照明システム。
【請求項１６】
車両内部のロータのキャリアを動かすことによってロータ２とリム１の間隔を変えることができることを特徴とする、請求項１２〜１５のいずれか一項に記載の車両照明システム。
【請求項１７】
請求項１２〜１６のいずれか一項に記載の車両照明システムを含むことを特徴とする、自転車。
【請求項１８】
発電機が自転車のフォーク１４に配置されることを特徴とする、請求項１７に記載の自転車。
【請求項１９】
発電機が自転車のブレーキに配置され、自転車を制動するときにロータ２とリム１が接近してコイル巻線７に誘導される電流が増加することによってランプの光出力が増幅することを特徴とする、請求項１８に記載の自転車。
【請求項２０】
発電機がブレーキシュー１２のブレーキパッド１３に設置されることを特徴とする、請求項１９に記載の自転車。
【請求項２１】
発電機がブレーキシュー１２の表面や内部に設置されることを特徴とする、請求項１９または２０に記載の自転車。
【請求項２２】
発電機がＶ−ブレーキやカンチレバーブレーキ（ｃａｎｔｉｌｅｖｅｒ  ｂｒａｋｅ）のベースに付着することを特徴とする、請求項１７に記載の自転車。
【発明の詳細な説明】
【技術分野】
【０００１】
本発明は、自転車タイヤのリムに設置される非接触自転車発電機に関し、より詳しくは、少なくとも１つの磁石を備えてリムとの磁気作用によって動く少なくとも１つの稼動式ロータと、このロータと共に動く磁石によって電流が誘導される少なくとも１つのコイル巻線を備えた非接触自転車発電機に関し、この発電機はリムとロータの軸方向が互いに異なり、ロータは連続的な円形経路を形成するリムの渦電流に基づいて磁場を起こし、このような磁場は、リムとロータの間の連続的な相対運動によって方向が互いに反対であってさらに互いに方向が反対である渦電流がリムに誘導され、ロータがこのように形成された渦電流によってリムと共に動きながら電流を生成することを特徴とする。また、本発明は、このような発電機を備えた車両照明システムと自転車にも関する。
【背景技術】
【０００２】
自転車ランプの発電機の種類は極めて多様である。例えば、タイヤの側面に沿って摩擦タイヤが回る側壁発電機やローラ発電機がある。このような種類の発電機の短所は、効率が低く、タイヤとの高い接触圧力によって制動効果が起こり、泥や水たまりや雪を通過するときに騒音が多く出る。
【０００３】
これを解決するものとしてハブ発電機がある。
【０００４】
ハブ発電機はタイヤのハブに直接設置され、大体はギアを備える。このような発電機は天気に大きく左右され、十分な電力は供給するものの、特にスポーツ用に問題となる重量が重いという問題があり、ハブを交換しなければアップグレードが不可能であるため費用が多くかかる。
【０００５】
古典的な無接点発電機は、スポークに磁石や磁石リングを追加でつけて固定コイルに電圧を誘導する。このような発電機は無接点方式であるため騒音がなく、制動効果もほとんどない。適切な電力を供給しようとすれば、スポークに多くの磁石を手動で追加設置しなければならず、このためにスポーツ用には適さない。
【０００６】
また、タイヤフォークやフレームに付着している要素内部の磁石が動き、（リムやスポークに）設置された磁石や金属が前記要素を経るときに磁気作用を引き起こす発電機も開発された。動くようになった磁石が隣接コイルに電流を誘導する。このような種類の発電機はすべて、タイヤに磁石や金属要素を追加で設置しなければならないという問題がある（例：ＷＯ２００１／０３３，７００Ａ１）。
【発明の概要】
【発明が解決しようとする課題】
【０００７】
本発明は、簡単かつ低廉に製作できると同時に、タイヤに磁石や金属要素を追加で設置する必要がない自転車発電機を提供することを目的とする。
【課題を解決するための手段】
【０００８】
本発明は、リムとロータの軸方向が互いに異なり、ロータは連続的な円形経路を形成するリムの渦電流に基づいて磁場を起こし、このような磁場は、リムとロータの間の連続的な相対運動によって方向が互いに反対であってさらに互いに方向が反対である渦電流がリムに誘導され、ロータがこのように形成された渦電流によってリムと共に動きながら電流を生成することを特徴とする。
【０００９】
これにより、本発明は、導電要素として歯車のようなタイヤリムを有し、このリムは、永久磁石や電磁石を備えたロータと磁気結合して短時間に磁化される。作動位置において、ロータとリムの間隔を小さくすれば、ロータの磁石による磁場によって回転運動する（金属製）リムに十分に大きな渦電流が誘導される。磁石を使用する場合、リムとの間隔を４ｍｍ以上に容易に維持することができる。
【００１０】
常磁性体であるリムに誘導される渦電流によって臨時で生成された磁場は、２つの要素であるリムとロータの間の（渦電流ギアとしての）磁気ギアを起こすのに必要となる。リムの渦電流による加熱の影響は無視できる程度であり、これはリムが回転しながら冷却されるためである。
【００１１】
渦電流によって生じる熱損失も無視できる程度であり、これは臨時磁気リングとの無接点電力送信の長所が遥かに大きいためである。
【００１２】
本発明の装置は接触がないため静かである。磁気結合であるため摩擦がなく、雪、氷、埃、または雨によって生じる問題もない。ロータをボックスで容易に囲むことができるため、雪や泥などと関係なく完全な発電が可能となる。
【００１３】
ロータは磁石を数個、具体的には６つ以上の磁石を有することが好ましい。このような磁石で生じた磁場は、リムの渦電流磁場とある程度の干渉をなすため、ロータの周りに対称で形成されることが好ましい。
【００１４】
例えば、ロータはエネルギー蓄積機の力に逆らってピボットしたり動いたりできる。これに関し、ロータの磁場は最適の発電に有用となる。ロータは軸に対して回転するように設置され、回転軸に対して放射状にＮ／Ｓ極が配置されるように磁石を配列する。特に、回転軸に直角に配列された磁石のＮ−Ｓ方向は一致しなければならない。
【００１５】
リムに最も近い磁石の磁束線が作動位置でリムを浸透しながらリムに渦電流を誘導する。このような渦電流が磁場を起こし、このような磁場はタイヤの回転方向に向かいながら磁石を引き寄せるため、リムの回転方向に磁石に力が作用して磁石リングの回転運動を起こす。
【００１６】
ロータの隣接磁石の極性が反対である場合、磁場を誘導する渦電流の極性が互いに反対となって効果が補強される。その結果、リムの回転方向に前にある磁場がなくなり、リムとロータが渦電流ギアの歯車のように適切に結合する。
【００１７】
自転車タイヤのリムがアルミニウムやスチールのような金属や導電プラスチックで形成されることが好ましい。連続的な円形経路を形成しながら一体でなるタイヤは多様な自転車に当然に存在するものであるため、本発明の装置を改善された自転車発電機として容易に使用することができる。本発明の装置は、コイルのケーブルに適切に連結される。
【００１８】
磁場強度を７５０〜１１００ｋＡ／ｍ、好ましくは８５０〜１０００ｋＡ／ｍで補強し、ネオジム永久磁石を使用することが好ましい。このような磁石は小さな大きさでも十分に強力である。例えば、辺の長さが２ｃｍ未満である小型の棒磁石を六角形の金属キャリアに配置すれば、ロータが合計６つの磁石を備える。ネオジウム磁石の辺の長さは２０×１０×５ｍｍ程度である。アルミニウムタイヤが回転するときに閉回路内で渦電流型磁場を起こして電圧と電流を生産しようとすれば、ロータの磁石リングをリムの側面部に近く、例えば４〜１０ｍｍ間隔で配置することが好ましい。本発明の装置は、このような目的に合う締結具を有する。
【００１９】
不連続的な金属要素や磁石の磁気引力による不連続的なトルクが起こる従来の技術に比べ、本発明によれば、磁石リングが回転するときに磁石リングとロータに連続的なトルクが加わる。また、トランスミッション要素として既存のタイヤリムを使用することによって電力生産性が高まり、簡単な構造でも極めて大きいトルクを起こすことができる。
【００２０】
例えば、最大エネルギーが３０６ｋＪ／ｍ３であって厚さが５ｍｍ（サイズ：２０×１０×５ｍｍ）であるネオジム永久磁石６つで構成された永久磁石リング２つをリムの両側に配置した状態でアルミニウムタイヤの速度が２０ｋｍ／ｈであれば、３Ｗの電力が生産される。タイヤの回転速度と、リムの回転軸から落ちた「仮想の」ロータの円周に対するリムの円周の比から磁石リングの回転速度が誘導される。磁場の強度、タイヤとの間隔、およびタイヤの回転速度に左右されるスリップ率によってロータの回転速度はさらに低くなることがある。
【００２１】
金属からなるキャリアの円周辺に等間隔でロータの磁石を配列すれば、渦電流がさらに適切に形成される。
【００２２】
本発明では、ロータによって駆動する発電機の一部に巻線を配置する。ロータが磁石を回転させながら電流を生産する。
【００２３】
本発明では、ロータにコイル巻線が完全に巻かれ、特にコイル巻線とロータが１つのボックス内に密封されるという点において特に有利である。本発明の装置は、摩擦損失が少なく、従来の発電機に比べて効率が極めて高く、構造が簡単で小型である。特に、巻線が１つの導体に形成されるが、他の種類の巻線も使用することができる。導体の一部分を互いに角張った巻線で生成し、両巻線をすべてロータに巻くことができる。
【００２４】
３６０度に巻かれた巻線は、回転軸に並んだ平面を形成する。本発明の装置は比較的小型であり、リムの近くに配置することができ、回転軸とコイル面がリムの平面にほぼ平行をなす。本発明は、自転車リムではなく、他の車のタイヤの導電円形部分にも適用することができる。
【００２５】
本発明は、キャパシタやバッテリのようなエネルギー貯蔵器を含み、このため作動中に電気エネルギーを貯蔵しながら以後にこれを送ることができる。
【００２６】
本発明のコイル巻線に照明手段を連結すれば、車両や自動車の照明システムを実現することができ、このような車両照明システムも、上述したり後述して説明する長所を有する。
【００２７】
本発明の装置は、コイルを囲む装置のハウジング（ボックス）に照明手段を配置するときに特に小型化を実現してエネルギー効率を実現することができ、このとき、照明手段の電源は短いケーブルで実現することができるため損失が小さい。照明手段をハウジング（ボックス）に一体化したり、照明手段を多数の位置でキャリアを通じて装置に連結することができる。
【００２８】
特に、発電機、電源、および光源からなる全体装置をボックスで完全に囲み、外部環境から完全に保護することができる。
【００２９】
好ましくは、少なくとも１つのダイオードを含む照明手段が２つであって導電方向が互いに異なる別途の回路に配列され、これらの回路に交互にＡＣ  ｗ電流が供給され、この電流はロータによってコイル巻線に誘導される。回転するロータによってコイル巻線に誘導される交流電流は、前進方向に分離した２つの回路を提供するのに利用される。照明手段としてのダイオードが互いに反対方向を有するのが効果的である。
【００３０】
ＡＣ電流の周波数はロータの回転速度に左右され、ロータの回転速度は回転することができる磁気ギアの２部分の割合によって左右される。円周長さ２ｍのタイヤと円周長さ６〜８ｃｍの磁石リングの回転比を１：４０とすれば、人間の目で感じることができる２０Ｈｚよりも極めて高いＡＣ周波数を得ることができる。
【００３１】
ロータの有効半径は、ロータとリムの間隔の他にも、ロータの円周の半径から求められる。周波数範囲は５０〜１５０Ｈｚが好ましい。この場合、回転する磁石リングとロータの変化する磁場によって十分なＡＣ電圧が供給され、光を出すことができる。下流側に発電機を使用するときに生じる追加の摩擦損失も避けることができる。
【００３２】
磁石を偶数個で配列し、磁石のＮ−Ｓ極をリムの回転軸に直交する軸線上におけば、高い効率を得ることができる。
【００３３】
回路を２つではなく１つだけ利用することもできる。また、本発明の自動車両照明システムや装置は整流器を有することができ、この整流器はコイル巻線の下流に配置され、コイル巻線に生じた電流を整流する。本発明に係る車両照明システムはキャリアを備え、このキャリアを通じてロータとリムの間隔を調節することができる。このような間隔調節は、ロータのキャリアを動かすことでなされる。ロータとリムの間隔を調節して誘導電圧を変え、光出力を選択的に調節することができる。
【００３４】
以上のような目的は、上述したり後述する車両照明システムを備えた自転車によって解決されることができる。
【００３５】
本発明の装置を自転車に付着する方法は多様にある。発電機を自転車のフォークやブレーキに設置すれば、制動するときにリムにロータが接近することによってコイル巻線に誘導される電流が増加する。ロータをリムに接近させてロータの有効円周を減らせば、ギア比の変化に合わせてロータの回転速度が増加し、２つの回転要素であるリムとロータの間のスリップ率も低くなり、電力と光出力も高くなる。赤色ブレーキなどを自転車の後輪の光源として使用すれば、自転車の速度が遅くなるときにブレーキなどを点けることができる。
【００３６】
本発明の発電機は、ブレーキシューのブレーキパッドに設置されることもできる。本発明の発電機はブレーキシューの表面や内部に位置し、ブレーキパッドを交換するときにもその位置を維持することができる。特にブレーキシュー内に配置すれば、制動するときの照明システムの作動に有利である。自転車はブレーキシューを備えており、ブレーキシューは本発明の発電ための核心部品であり、既存のブレーキ装置のブレーキシューを容易に代替することができる。また、本発明の発電機をＶ−ブレーキやカンチレバーブレーキ（ｃａｎｔｉｌｅｖｅｒ  ｂｒａｋｅ）のベースに付着することもできる。
【００３７】
一般的に、自転車のリムの両側にロータを配置し、コイル巻線に電流を誘導することもできる。このようにすれば、システムの結合を改善したりもする磁石を利用してリムに誘導される渦電流を補強することができる。誘導される渦電流とリムの磁場が高速回転で増幅し、高速回転でスリップ率も大きく減少する。
【００３８】
本発明の装置を既存の自転車フォークのブレーキ部分に蹄鉄形態で付着することができ、２つのロータをリムの両側に配置すれば効果を補強することができる。蹄鉄形態は衝撃に強いため、タイヤの上に電球を頑丈に固定することができる。
【００３９】
本発明の自転車に２つの対応照明システムを設置し、弱い磁石は後尾灯に使用する。
【００４０】
制動動作中に作動する本発明の照明システムは、電気的に連結する前後ブレーキの両側の発電機を備えることができる。自転車がゆっくり加速するときとは異なり、ブレーキを踏んで生じた電流は急激に増幅して後尾灯回路に送られる。このため、比較器やトランジスタのような簡単なスィッチ回路を使用することができる。
【００４１】
以上で説明した本発明は非接触であるため静かであり、耐久性に強く、摩擦が少ないため、エネルギー効率が高い電気供給が可能であると同時に追加の要素を設置する必要がないという点において、既存の自転車発電機に比べて遥かに有利である。本発明は、リムに直接触れないように小さな間隔を置いてリムの横に磁石リングを配置するため、既存の自転車発電機を容易に代替することができる。
【図面の簡単な説明】
【００４２】
【図１】本発明に係る発電機の斜視図である。
【図２】図１のロータの拡大図である。
【図３】本発明の他の例の部分拡大図である。
【図４】図１の部分拡大図である。
【図５】本発明の基本概念を示す斜視図である。
【図６】本発明の他の例の斜視図である。
【図７】本発明を自転車に適用した例を示す斜視図である。
【図８】本発明に係る装置の一部分の斜視図である。
【図９】本発明の装置の他の一部分の斜視図である。
【図１０】本発明の装置のさらに１つの一部分の斜視図である。
【発明を実施するための形態】
【００４３】
図１に示すリム１はロータ２と結合する。このため、リム１の側面部１．１は円形経路をなす。リム１はアルミニウムのような導体である。ロータ２のキャリア２．１の円周辺に沿って多数の磁石が配列され、これについては後で詳しく説明する。キャリア２．１は軸２ａに回転できるように設置される。リムが４ａ方向に回転すれば、磁石がついたロータ２は４ｂ方向に回転する。渦電流マグネチックギアと作用するロータ２の外部をボックス６で完全に囲み、敏感な稼動部が外部に露出しないようにする。軸２ａとリムの軸１ａは直交する。
【００４４】
ロータ２はリム１に対して磁場に基づいて渦電流を起こす位置にある。コイルと、コイルに誘導された電流で作動するランプは、説明の便宜上により図示しない。
【００４５】
図２は、ボックス６を省略した状態の図１の部分斜視図である。ロータ２はリム１の側面部１．１と狭い間隔３．１を置いて分離する。ロータの磁石３のＮ極２ｂとＳ極２ｃ（ハッチング線で表示）が交互に配列されており、タイヤやリムが４ａ方向に回転すれば、磁石がついたロータ２は４ｂ方向に回転する。矢印５はリム１の側面部１．１に最も近い磁石３から始まる磁束線の方向である。
【００４６】
図３の実施形態では、キャリア２．１の円周に沿って偶数個の磁石３が間隔を置いて配列されている。側面部１．１に直接作用する磁場は、磁石の間隔によって妨害されない。
【００４７】
図４の実施形態では、リム１の側面部１．１に間隔を置いて並んでコイル巻線７が配置されている。ボックス６は軸２ａを支持する役割をする。
【００４８】
図５の実施形態では、リム１が横になってＶ１方向に動き、ロータ２についている磁石３は、Ｎ極とＳ極が互いに交互に配列されたまま間隔を置いて側面部１．１に対して接線方向に動く。リム１に最も近い磁石の磁場は、４ａ、４ｂ方向にリムを浸透しながら互いに反対となる渦電流５ａ、５ｂを起こし、このような渦電流が磁場６ａ、６ｂを発生させる。リムの回転方向に前側に位置した磁場６ａは磁石３を引き寄せ、後ろ側に位置した磁場６ｂは磁石３を押し出すため、Ｖ２方向の力が磁石３に加わる。このため、ロータ２がＶ３方向に回転する。隣接磁石の極性が反対であるため回転方向に反発したり引き寄せるため、このような運動が強まる。
【００４９】
図６では、２つのロータ２、２．５が互いに磁気作用するように配列されている。ロータの２つの磁場が合わさって増幅した磁場の中央にリムが位置するため、リムとロータの間隔をさらに広げることができる。両側のロータは回転軸が平行で構造が同じであるものが理想的であり、特に直径と磁石の大きさと数が同じであるものが好ましい。コイル巻線７に誘導された電流を利用してランプ１０を作動させる。
【００５０】
図１１の実施形態では、自転車１１のランプ１０をリム１の両側に配置された２つの装置で作動させる。光源はブレーキアームのブラケット１５に配置されるが、ロータとコイル巻線を囲むボックス６はフォーク１４に固定される。
【００５１】
図８は、最適化されたロータの部分斜視図である。断面が六角形であるキャリア２．１の６辺に合計６つの棒磁石３を配置する。キャリアの円周辺に磁石が間隔を置いて配置されるため、磁束線が互いに干渉しない。キャリアの回転軸に直交する線上に配置された磁石対のＮ−Ｓ極方向が互いに同じであるため、コイル巻線に誘導された電圧が最大になる。
【００５２】
磁石とコイル巻線の最小間隔は通常０．５ｍｍである。図４のようなシングル巻線で直径０．５ｍｍの銅線コイルを６０回巻いてコイルの全体長さを約６ｍにすれば、２０ｋｍ／ｈの速度で０．４Ａ−３Ｖの電流が生じる。すなわち、１．２Ｗの電力が生じ、制動電力は約２Ｗになる。制動電力は従来に比べて極めて低く、ほぼ無視できる程度である。これと同時に、エネルギー収率は極めて高い。高効率ＬＥＤを使用する場合、１４０ルーメン以上の光を出す電力を供給することができ、これはドイツの道路交通法の最小条件を何倍も超える値である。
【００５３】
このような最小条件を越える発光条件の小型ランプに必要な磁気強度を、上述した実施形態よりもさらに弱い磁気強度を有する磁石を利用して求めることができ、具体的には磁気強度が８６０ｋＡ／ｍ〜９５０ｋＡ／ｍであればよい。約６００ｇの接着力を有し、大きさ１０×１０×１ｍｍの直方体磁石を使用し、２０ｋｍ／ｈの速度で求めた０．１Ａの電流と２Ｖの電圧は、上述した条件を十分に満たす。
【００５４】
必要条件がさらに低い後尾灯の場合、５×４×１ｍｍの大きさのネオジム磁石は３５０ｇの接着力を出し、適当なコイルを使用して０．５Ａ−０．５Ｖを出すことができるため十分に使用することができる。このため、直径０．２ｍｍまたは０．３ｍｍ程度の細いコイルも十分な効果を出すことができ、これはコイルの内部抵抗が大きくなってさらに高い電圧を得ることができるためである。
【００５５】
ブレーキを作動させたときに後尾灯やヘッドライトに光が点灯するようにすることは、磁石システムのスリップ率とギア比による。ある程度までは、リム間隔が変わるときにロータの小さいほど加速度が大きくなる。例えば、半径４ｍｍのロータでリム間隔が５ｍｍから１ｍｍに小さくなれば、ロータの有効半径は９ｍｍから５ｍｍに小さくなり、ロータの有効円周長さも５６ｍｍから３１ｍｍに小さくなることがある。このようになれば、回転速度と生産電流を約２倍にすることができる。しかし、半径１５ｍｍのロータを利用するヘッドライトの場合、ロータとリム間隔が５ｍｍから１ｍｍに減れば、有効半径は２０ｍｍから１６ｍｍに減る。したがって、この場合には、制動するときの変化率が著しく小さくなり、光の強度で小さな差が観察される。
【００５６】
図９は、ロータが入っているボックス６だけが示された装置の斜視図である。このボックス６はブレーキシュー１２に配置され、ブレーキシューはブレーキパッド１３を支持する。上述したように、自転車ランプは制動するときに光を出す。
【００５７】
図１０は図９の実施形態の変形例であって、ボックス６部分がブレーキシュー１２の一部分の内部に配置される。
【図１】
0005984025.tif 000002
【図２】
0005984025.tif 000003
【図３】
0005984025.tif 000004
【図４】
0005984025.tif 000005
【図５】
0005984025.tif 000006
【図６】
0005984025.tif 000007
【図７】
0005984025.tif 000008
【図８】
0005984025.tif 000009
【図１０】
0005984025.tif 000010
【図９】
0005984025.tif 000011